【手続補正書】
【提出日】平成18年1月27日(2006.1.27)
【手続補正１】
【補正対象書類名】明細書
【補正対象項目名】発明の名称
【補正方法】変更
【補正の内容】
【発明の名称】通信装置
【手続補正２】
【補正対象書類名】明細書
【補正対象項目名】特許請求の範囲
【補正方法】変更
【補正の内容】
【特許請求の範囲】
【請求項１】  原稿の画像情報を読み取り画像データを出力する画像情報読取手段と、画像データを送信及び受信する送受信手段と、該手段が受信した画像データ及び前記画像情報読取手段が出力した画像データを記憶する画像情報記憶手段と、用紙に画像を形成して印刷する書込手段と、ネットワークに接続された配信先サーバ宛に受信した画像データを配信させる手段とを有する通信装置において、
前記配信先サーバから印刷能力情報を取得する手段と、
該手段が取得した印刷能力情報に対応させて受信した画像データのレイアウトを変更し、その変更された画像データを前記配信先サーバ宛に配信させる手段とを設けたことを特徴とする通信装置。
【請求項２】  原稿の画像情報を読み取り画像データを出力する画像情報読取手段と、画像データを送信及び受信する送受信手段と、該手段が受信した画像データ及び前記画像情報読取手段が出力した画像データを記憶する画像情報記憶手段と、用紙に画像を形成して印刷する書込手段と、ネットワークに接続された配信先サーバ宛に受信した画像データを配信させる手段とを有する通信装置において、
前記配信先サーバから印刷能力情報を取得する手段と、
該手段が印刷能力情報を取得したか否かを判断する判断手段と、
該判断手段が前記印刷能力情報を取得しなかったと判断したときは、受信した画像データを定形紙サイズに縮小又は分割して前記配信先サーバ宛に配信させる手段とを設けたことを特徴とする通信装置。
【請求項３】  原稿の画像情報を読み取り画像データを出力する画像情報読取手段と、画像データを送信及び受信する送受信手段と、該手段が受信した画像データ及び前記画像情報読取手段が出力した画像データを記憶する画像情報記憶手段と、用紙に画像を形成して印刷する書込手段と、ネットワークに接続された配信先サーバ宛に受信した画像データを配信させる手段とを有する通信装置において、
前記配信先サーバから印刷能力情報を取得する手段と、
該手段が印刷能力情報を取得したか否かを判断する判断手段と、
該判断手段が前記印刷能力情報を取得しなかったと判断したときは、受信した画像データを規定フォーマットに分割して前記配信先サーバ宛に配信させる手段とを設けたことを特徴とする通信装置。
【請求項４】  原稿の画像情報を読み取り画像データを出力する画像情報読取手段と、画像データを送信及び受信する送受信手段と、該手段が受信した画像データ及び前記画像情報読取手段が出力した画像データを記憶する画像情報記憶手段と、用紙に画像を形成して印刷する書込手段と、ネットワークに接続された配信先サーバ宛に受信した画像データを配信させる手段とを有する通信装置において、
前記配信先サーバから印刷能力情報を取得する手段と、
該手段が印刷能力情報を取得したか否かを判断する判断手段と、
該判断手段が前記印刷能力情報を取得しなかったと判断したときは、受信した画像データを規定フォーマットに縮小して前記配信先サーバ宛に配信させる手段とを設けたことを特徴とする通信装置。
【手続補正３】
【補正対象書類名】明細書
【補正対象項目名】０００１
【補正方法】変更
【補正の内容】
【０００１】
【発明の属する技術分野】
この発明は、受信した画像データをネットワークに接続されたサーバに配信する機能を備えたファクシミリ装置等の通信装置に関する。
【手続補正４】
【補正対象書類名】明細書
【補正対象項目名】０００２
【補正方法】変更
【補正の内容】
【０００２】
【従来の技術】
ファクシミリ装置は、文字や図形などの画像データを手軽に送受信することができるため、身近なＯＡ機器として広く普及している。従来のファクシミリ装置は画像データの送受信機能に加えて画像データを蓄積する機能等、使いこなせないほどの多数の機能を搭載したものがある。中には、受信した画像データをネットワークに接続されたサーバに配信する機能を備えたものも存在している。このような装置に関連する従来技術として、例えば特開２０００−１９４５３１号公報には印刷データをネットワーク（インターネット）に接続されている他の装置に転送する機能を搭載した情報処理装置が開示されている。
【手続補正５】
【補正対象書類名】明細書
【補正対象項目名】０００３
【補正方法】変更
【補正の内容】
【０００３】
【発明が解決しようとする課題】
ファクシミリ装置等の通信装置において、受信データのファイル（受信ファイル）をネットワークに接続されたパーソナルコンピュータ（以下「パソコン」という）等のサーバに配信する場合、それは、主に受信データを印刷しないで保存するペーパーレス化を目的としているが、受信ファイルの中には印刷が必要なものもある。その場合、ファクシミリ装置が配信したデータ（以下「配信データ」という）は、サーバが受信し、プリンタが印刷することになるが、そのプリンタの能力や制限などから配信データを適切なフォーマットで印刷できないケースがある。例えば、配信データがＡ３フォーマットであるのに対し、それを受けるプリンタがＡ４フォーマットしか印刷できない場合である。このような場合は、プリンタでフォーマットを縮小して印刷するか或いは元のＡ３フォーマットのデータを一部切り落として無理やり印刷せざるを得ない。
【手続補正６】
【補正対象書類名】明細書
【補正対象項目名】０００４
【補正方法】変更
【補正の内容】
【０００４】
また、上記のような通信装置とプリンタとのフォーマット相違のケース以外にも問題となる場合がある。例えば、通信装置が定形フォーマットよりも長さの長いデータを受信して配信データを転送すると、印刷される画像の一部が切れてしまったり、配信データの一部が分割されてしまう。プリンタが分割して印刷すると、ファクシミリ装置が印刷する場合のように分割した時の重ね書き部分等がないため見にくく、分割された境目部分の画像が欠けてしまう可能性もある。
【手続補正７】
【補正対象書類名】明細書
【補正対象項目名】０００５
【補正方法】変更
【補正の内容】
【０００５】
この発明は、上記の問題点を解決するためになされたものであり、受信データをネットワークに接続されたサーバに配信する機能を備えたファクシミリ装置等の通信装置において、プリンタに対応した配信データを配信するようにして、プリンタに負荷をかけることなくファクシミリ装置による印刷と同様の印刷が行えるようにすることを目的とする。
【手続補正８】
【補正対象書類名】明細書
【補正対象項目名】０００６
【補正方法】変更
【補正の内容】
【０００６】
【課題を解決するための手段】
この発明は上記の目的を達成するため、原稿の画像情報を読み取り画像データを出力する画像情報読取手段と、画像データを送信及び受信する送受信手段と、該手段が受信した画像データ及び上記画像情報読取手段が出力した画像データを記憶する画像情報記憶手段と、用紙に画像を形成して印刷する書込手段と、ネットワークに接続された配信先サーバ宛に受信した画像データを配信させる手段とを有する通信装置において、次の手段を設けたことを特徴とする。
すなわち、上記配信先サーバから印刷能力情報を取得する手段と、その手段が取得した印刷能力情報に対応させて受信した画像データのレイアウトを変更し、その変更された画像データを上記配信先サーバ宛に配信させる手段とを設けた通信装置である。
【手続補正９】
【補正対象書類名】明細書
【補正対象項目名】０００７
【補正方法】変更
【補正の内容】
【０００７】
また、上記配信先サーバから印刷能力情報を取得する手段と、その手段が印刷能力情報を取得したか否かを判断する判断手段と、その判断手段が上記印刷能力情報を取得しなかったと判断したときは、受信した画像データを定形紙サイズに縮小又は分割して上記配信先サーバ宛に配信させる手段とを設けた通信装置も提供する。
さらに、上記配信先サーバから印刷能力情報を取得する手段と、その手段が印刷能力情報を取得したか否かを判断する判断手段と、その判断手段が上記印刷能力情報を取得しなかったと判断したときは、受信した画像データを規定フォーマットに分割して上記配信先サーバ宛に配信させる手段とを設けた通信装置も提供する。
さらには、上記配信先サーバから印刷能力情報を取得する手段と、その手段が印刷能力情報を取得したか否かを判断する判断手段と、その判断手段が上記印刷能力情報を取得しなかったと判断したときは、受信した画像データを規定フォーマットに縮小して上記配信先サーバ宛に配信させる手段とを設けた通信装置も提供する。
【手続補正１０】
【補正対象書類名】明細書
【補正対象項目名】０００８
【補正方法】変更
【補正の内容】
【０００８】
【発明の実施の形態】
以下、図面を参照してこの発明の実施の形態について説明する。
図１はこの発明による通信装置の一実施の形態であるファクシミリ装置の主要な構成を示すブロック図である。
このファクシミリ装置１は、図１に示すように、操作部２と、表示部３と、システム制御部４と、画像データ圧縮部５と、ネットワークコントロール部６と、モデムＮＣＵ部７とを有し、スキャナ８と、プロッタ９と、圧縮データ格納メモリ１０と、画像データ伸長部１１と、伸長データ展開メモリ１２とを有し、表示部３を除く各構成要素が互いにシステムバス１３を介して接続されている。
操作部２は、所定のテンキー及び文字入力キーを備えたメカニカルキーやタッチパネルキーなどからなる操作キーを有し、システムバス１３を介してシステム制御部４とのデータのやり取りを行う操作入力手段であって、画像データの送信に必要な操作（例えば、相手先電話番号の入力やスタート／ストップなど）や送受信の状況確認等、ファクシミリ装置１の使用に必要な情報を操作キーの操作入力により入力してシステム制御部４に入力する。
【手続補正１１】
【補正対象書類名】明細書
【補正対象項目名】００２４
【補正方法】変更
【補正の内容】
【００２４】
【発明の効果】
以上説明してきたように、この発明による通信装置は、配信先サーバから印刷能力情報を取得し、それに対応させて、画像データのレイアウトを変更して配信するため、配信先サーバに転送しても、形成される画像が切れて見にくくなったり、重ね書き部分が付加されずに分割されることがなく、ファクシミリ装置と同様のレイアウトで印刷することができる。また、印刷能力情報を取得できない場合に定形紙サイズ又は規定フォーマットに縮小又は変更して配信すれば、印刷能力情報を取得できない場合も対応でき、配信先の汎用性が高まる。
【手続補正１２】
【補正対象書類名】明細書
【補正対象項目名】図１
【補正方法】変更
【補正の内容】
【図１】
この発明による通信装置の一実施の形態であるファクシミリ装置の主要な構成を示すブロック図である。